(57)【要約】【課題】本発明は、ＰＣ床版敷設時のかかり代調整治具に関し、従来のＰＣ床版敷設時のかかり代調整方法においては、作業員の個々の技量に任せられていて、その調整が不確実であることが課題であって、それを解決することである。【解決手段】ＰＣ床版を梁型枠上に敷設する際の位置決めをしてかかり代を調整する治具であって、前記梁型枠上に載置される前記ＰＣ床版の端部に平板状の治具本体片側の側面に当接させて該治具本体を着脱自在に固定するための固定手段を前記側面に有し、該治具本体の下部に前記梁型枠の上部から梁型枠内側にガイドして前記ＰＣ床版の端部の端面位置をかかり代の範囲内で設定した位置に収めるテーパ部が設けられるとともに前記治具本体の上部に隣接するＰＣ床版の前記梁型枠上に載置される端部を前記設定した位置にガイドするテーパ部を設けてなるかかり代調整治具１とする。【選択図】図２
2010180579.tif 000002
【特許請求の範囲】
【請求項１】
プレキャスト床版を梁型枠上に敷設する際の位置決めをしてかかり代を調整する治具であって、前記梁型枠上に載置される前記プレキャスト床版の端部に平板状の治具本体片側の側面に当接させて該治具本体を着脱自在に固定するための固定手段を前記側面に有し、該治具本体の下部に前記梁型枠の上部から梁型枠内側にガイドして前記プレキャスト床版の端部の端面位置をかかり代の範囲内で設定した位置に収めるテーパ部が設けられるとともに前記治具本体の上部に隣接するプレキャスト床版の前記梁型枠上に載置される端部を前記設定した位置にガイドするテーパ部を設けてなること、
を特徴とするＰＣ床版敷設時のかかり代調整治具。
【請求項２】
治具本体片側の側面には、かかり代の幅を前記側面から移動手段で移動されて調整する調整板が設けられていること、
を特徴とする請求項１に記載のＰＣ床版敷設時のかかり代調整治具。
【請求項３】
請求項１又は２に記載のかかり代調整治具を形成し、このかかり代調整治具を梁型枠上に最初に敷設するプレキャスト床版における梁型枠上に載置する端部の横方向両側に、治具本体の一部を横方向に直交する縦方向端面から突出させた状態にして固定し、この最初のプレキャスト床版を前記梁型枠上の所定の位置に前記治具の下側のテーパ部にガイドさせながら載置し、次に前記最初のプレキャスト床版に隣接させて敷設する２番目のプレキャスト床版における梁型枠上に載置する端部のうち次段のプレキャスト床版を隣接させる側の端部に前記治具本体の一部を横方向に直交する縦方向端面から突出させた状態にして固定し、この２番目のプレキャスト床版を前記最初のプレキャスト床版に隣接させて前記かかり代調整治具の上側のテーパ部にガイドさせながら梁型枠上に載置し、３番目以降のプレキャスト床版にも前記２番目のプレキャスト床版の場合と同様に前記かかり代調整治具を端部に固定して前記梁型枠上に順次載置して、これを繰り返してプレキャスト床版を敷設していくこと、
を特徴とするＰＣ床版敷設時のかかり代調整方法。
【請求項４】
２番目以降のプレキャスト床版に固定するかかり代調整治具は、既に敷設したプレキャスト床版から外して転用するものであること、
を特徴とする請求項３に記載のＰＣ床版敷設時のかかり代調整方法。
【発明の詳細な説明】
【技術分野】
【０００１】
本発明は、プレキャストコンクリート（以下、単にＰＣという）床を梁型枠の上に敷設する工事を施工する際に、ＰＣ床版の長手方向の端部を許容位置内に設置するためのＰＣ床版敷設時のかかり代調整方法と治具に関するものである。
【背景技術】
【０００２】
従来、床材を敷設して施工する際には、その位置合わせに固定治具を先に設置位置近傍において、その固定治具上に床材をおいて、前記固定治具を取り出すような方法が知られている（特許文献１参照）。しかし、通常は、図５に示すように、揚重機のワイヤー２１に吊り上げられたＰＣスラブ２２を、作業員が合図を送りながら前記ＰＣスラブ２２を梁型枠２３の上端部に近づけ、片手で吊されたＰＣスラブ２２を押さえながら、他の手でメジャー２４を用意して、型枠端から内側に予定の範囲内、かかり代ａを例えば２０ｍｍ（最小）〜３０ｍｍ（最大）程度にして、前記ＰＣスラブ２２の端面位置が収まるようにし、当該ＰＣスラブ２２を梁型枠２３上面に降ろすようにしている。その後、コンクリートを現場打ちして、梁・スラブを一体に形成するものである。
【先行技術文献】
【特許文献】
【０００３】
【特許文献１】特開２００１−７２９４４号公報
【発明の概要】
【発明が解決しようとする課題】
【０００４】
しかし、従来のＰＣ床版敷設時のかかり代調整方法では、現場の作業員の技量に任せている不確実な方法であり、作業員の熟練度によって前記かかり代の寸法が多くなったり、少なくなったりするおそれがある。よって、作業精度が均一に成らず不確実となる。本発明に係るＰＣ床版敷設時のかかり代調整方法と治具は、このような課題を解決するために提案されたものである。
【課題を解決するための手段】
【０００５】
本発明に係るＰＣ床版敷設時のかかり代調整治具の上記課題を解決して目的を達成するための要旨は、ＰＣ床版を梁型枠上に敷設する際の位置決めをしてかかり代を調整する治具であって、前記梁型枠上に載置される前記ＰＣ床版の端部に平板状の治具本体片側の側面を当接させて該治具本体を着脱自在に固定するための固定手段を前記側面に有し、該治具本体の下部に前記梁型枠の上部から梁型枠内側にガイドして前記ＰＣ床版の端部の端面位置をかかり代の範囲内で設定した位置に収めるテーパ部が設けられるとともに前記治具本体の上部に隣接するＰＣ床版の前記梁型枠上に載置される端部を前記設定した位置にガイドするテーパ部を設けてなることである。
また、治具本体片側の側面には、かかり代の幅を前記側面から移動手段で移動されて調整する調整板が設けられていることを含むものである。
【０００６】
本発明に係るＰＣ床版敷設時のかかり代調整方法の要旨は、上記かかり代調整治具（以下、単に治具という）を形成して、この治具を梁型枠上に最初に敷設するＰＣ床版における梁型枠上に載置する端部の横方向両側に、治具本体の一部を横方向に直交する縦方向端面から突出させた状態にして固定し、この最初のＰＣ床版を前記梁型枠上の所定の位置に前記治具の下側のテーパ部にガイドさせながら載置し、次に前記最初のＰＣ床版に隣接させて敷設する２番目のＰＣ床版における梁型枠上に載置する端部のうち次段のＰＣ床版を隣接させる側の端部に前記治具本体の一部を横方向に直交する縦方向端面から突出させた状態にして固定し、この２番目のＰＣ床版を前記最初のＰＣ床版に隣接させて前記治具の上側のテーパ部にガイドさせながら梁型枠上に載置し、３番目以降のＰＣ床版に前記治具を固定して梁型枠上に載置していくことである。
【０００７】
また、２番目以降のＰＣ床版に固定するかかり代調整治具は、既に敷設したＰＣ床版から外して転用するものであることを含むものである。
【発明の効果】
【０００８】
本発明のＰＣ床版敷設時のかかり代調整方法と治具とによれば、本発明のかかり代調整治具を梁型枠の上に敷設しようとするＰＣ床版の、載置側の端部に固定することで、クレーンなどで吊り下げられたＰＣ床版が、梁型枠の上に接近し、前記かかり代調整治具の下部のテーパ部により、梁型枠上部に当接して下がりながら梁型枠内側にガイドされ、かかり代の範囲内にＰＣ床版の端部の端面位置が収められる。作業員は、巻き尺等を片手に用意する必要はなく、両手を前記ＰＣ床版の端部に添えながら、ＰＣ床版を降ろすように支持することができる。
【０００９】
また、かかり代の調整板があることで、かかり代の調整が可能となり、その調整方法が正確で容易になる。
【００１０】
前記かかり代治具を使用することで、ＰＣ床版の敷設位置精度が向上し、一度の作業で完了させることができて、作業工期の短縮となる。作業員の技量に頼ることなく、作業精度が均一になる。更に、かかり代調整治具は、敷設工事の進捗に伴い、転用して使用することができて、治具費用コストを軽減することができる。
【図面の簡単な説明】
【００１１】
【図１】本発明に係るＰＣ床版敷設時のかかり代調整治具１を使用して、ＰＣ床版を敷設する方法を示す説明図である。
【図２】同本発明のＰＣ床版敷設時のかかり代調整治具１の使用状態の側面図（Ａ）と断面図（Ｂ）と、第２実施例に係る断面図（Ｃ）と、斜視図（Ｂ）とである。
【図３】同本発明のＰＣ床版敷設時のかかり代調整治具１の使用状態の斜視図である。
【図４】同２枚目以降のＰＣ床版に取り付けるかかり代調整治具の他の実施例に係る治具の平面図（Ａ）、側面図（Ｂ）、正面図（Ｃ）である。
【図５】従来例に係るＰＣ床版の敷設作業方法を示す説明図である。
【発明を実施するための形態】
【００１２】
本発明に係るＰＣ床版敷設時のかかり代調整治具は、図１に示すように、敷設しようとするＰＣ床版の端部に、ガイド部を有する治具を着脱自在に固定して、敷設作業を効率的に行うようにするものである。
【実施例１】
【００１３】
前記かかり代調整治具１は、図１に示すように、ＰＣ床版２を梁型枠３上に敷設する際の位置決めをして、かかり代ａを調整するための治具である。図１乃至図２（Ａ），（Ｂ）に示すように、前記梁型枠３上に載置される前記ＰＣ床版２の端部２ｄ，２ｅに、金属製（例えば、アルミニウム製）若しくは合成樹脂製で平板状の治具本体１ａ片側の側面１ｂを当接させて該治具本体１ａを着脱自在に固定するための固定手段１ｃを前記側面１ｂに有する。
【００１４】
前記固定手段１ｃは、一例として、治具本体１ａの下側に一体に形成した段部１ｄと、治具本体１ａの上部に固着した金属製若しくは合成樹脂製の固定アングル１ｅと、この固定アングル１ｅの水平な平坦部に固着されたナット１ｆと、このナット１ｆにねじ込み挿通されるボルト１ｇとで構成されている。
【００１５】
更に、前記治具本体１ａの下部に前記梁型枠３の上部から梁型枠３の内側３ａにガイドして前記ＰＣ床版２の端部２ｄの端面位置をかかり代ａの範囲内で設定した位置に収めるテーパ部１ｈが設けられるとともに、前記治具本体１ａの上部に隣接するＰＣ床版２ａの前記梁型枠３上に載置される端部２ｄを前記設定した位置にガイドするテーパ部１ｊを設けてある。
【００１６】
前記固定手段１ｃにおける固定アングル１ｅ，１ｅは、図２（Ａ）に示すように、次段のＰＣ床版２ａがガイドされて降下してくるので、この端部２ｄに衝突することがないように、側面１ｂ全体の片側（図示の場合で、右側）に寄せて配設されている。
【００１７】
上記のようなかかり代調整治具１を使用して、ＰＣ床版２，２ａ，２ｂ，…は梁型枠３の上に配設するには、以下のような方法で施工する。即ち、前記かかり代調整治具１を梁型枠３上に最初に敷設するＰＣ床版（図１で左端の１枚目）２における梁型枠３上に載置する端部２ｄ，２ｅの横方向両側に、治具本体１ａの一部を横方向に直交する縦方向端面から突出させた状態にして固定する。
【００１８】
図２（Ｂ）に示すように、治具本体１ａの側面１ｂにおける段部１ｄに端部２ｄ若しくは端部２ｅを載せ、予め上に上げておいた２箇所のボルト１ｇをねじ込んで、ＰＣ床版２上面にボルト１ｇ下面をそれぞれ当接させて、この治具本体１ａを端部２ｄ，２ｅのそれぞれに２個固定する。この治具本体１ａの図２（Ａ）に示す左側が、前記ＰＣ床版２の側面（縦方向または長手方向の端面）から横方向に突出している。
【００１９】
この最初のＰＣ床版２をクレーンなどの揚重機で吊り上げて、前記梁型枠３上の所定の位置に端部２ｄ，２ｅ側にいる２人の作業員がその両手で誘導して、前記かかり代調整治具１の下側のテーパ部１ｈによってガイドさせながら載置する。梁型枠３の上部角にテーパ部１ｈを当接させながら降下させることで、梁型枠３の内側にガイドされ、設定のかかり代ａ（２０ｍｍ〜３０ｍｍ）の範囲内に収まるものである。
【００２０】
次に前記最初のＰＣ床版２に隣接させて敷設する２番目のＰＣ床版２ａにおける梁型枠３上に載置する端部２ｄ，２ｅのうち次段のＰＣ床版２ｂを隣接させる側の端部に前記治具本体１ａの一部を横方向に直交する縦方向端面から突出させた状態にしてかかり代調整治具１を固定する。つまり、２番目からのＰＣ床版２ａには、前記かかり代調整治具１を端部２ｄ，２ｅの片側１箇所に固定するものである。
【００２１】
この２番目のＰＣ床版２ａをクレーンなどで吊り上げて、前記最初のＰＣ床版２に隣接させてこのＰＣ床版２に固定されているかかり代調整治具１の上側のテーパ部１ｊにガイドさせながら、図２（Ａ），（Ｂ）に示すように、梁型枠３上に載置する。これにより、２番目のＰＣ床版２ａは、最初のＰＣ床版２と同一のかかり代ａの範囲内に納まり、且つ、長手方向（縦方向）においても隣接する端面同士を隙間無く当接させることで位置決めされる。
【００２２】
次の３番目以降のＰＣ床版２ｂ，２ｃ，…も同様にして、図１乃至図３に示すように、その端部２ｄ，２ｅの次段の隣接させる側にそれぞれ１個のかかり代調整治具１を予め固定して、そのＰＣ床版をクレーンで吊り上げて、既設のＰＣ床版に固定してあるかかり代治具１のテーパ部１ｊにガイドさせて、梁型枠３上に載置していくものである。尚、前記かかり代調整治具１は、前記最初のＰＣ床版２から用済みとなった段階で取り外して、これから敷設するＰＣ床版に固定して、転用するものである。
【実施例２】
【００２３】
図４に示すように、治具の他の実施例として、２番目以降のＰＣ床版２ａ，…の端部２ｄ，２ｅに取り付ける治具であって、横方向の面を揃える当て板４ａ，４ｂと、これを連結する連結バー４ｃと、次段のＰＣ床版を降下させるときにガイドするガイド部４ｄと、からなるかかり代調整治具４とするものである。このかかり代調整治具４は、ＰＣ床版２ａの上に載置するだけで、特別に、ボルトなどでＰＣ床版に固定するものではない。よって、作業的にも手間が掛からず容易である。このような治具でも、効率的にＰＣ床版をガイドして所定の位置に敷設することができる。
【実施例３】
【００２４】
更に他の実施例として、図２（Ｃ）に示すように、前記かかり代調整治具１における治具本体１ａ片側の側面には、かかり代ａの幅を前記側面から移動手段で移動されて調整する調整板１ｋが設けられていることである。この調整板１ｋは、金属製，合成樹脂製の薄い平板であり、移動手段として、ボルト１ｇによる治具本体１ａに設けたネジ穴へのねじ込みによる。ボルト１ｇ先端部は、前記調整板１ｋに回転自在に取り付けられる。
【００２５】
また、そのかかり代調整に役立つように、図２（Ｄ）に示すように、治具本体１ａの段部１ｄに、かかり代ａの寸法を示す目盛り１ｍを設ける。これにより、調整が迅速に行い得て、且つ容易となり正確性も増すものである。
【産業上の利用可能性】
【００２６】
本発明に係るかかり代調整治具１とそれを使用したかかり代調整方法は、ＰＣ床版敷設工事に適したものであり、そればかりでなく、他の板の敷設工事などにも適用できるものである。
【符号の説明】
【００２７】
１          かかり代調整治具、            １ａ        治具本体、
１ｂ        側面、                        １ｃ        固定手段、
１ｄ        段部、                        １ｅ        固定アングル、
１ｆ        ナット、                      １ｇ        ボルト、
１ｈ        テーパ部、                    １ｊ        テーパ部、
１ｋ        調整板、                      １ｍ        目盛り、
２，２ａ，２ｂ，２ｃ            ＰＣ床版、
３          梁型枠、                      ３ａ        内側、
４          他の実施例のかかり代調整治具。
【図１】
2010180579.tif 000003
【図２】
2010180579.tif 000004
【図３】
2010180579.tif 000005
【図４】
2010180579.tif 000006
【図５】
2010180579.tif 000007